(57)【特許請求の範囲】
【請求項１】
基準被写体の撮影を行なったときに得られるカラー撮像信号の少なくとも１つに対するホワイトバランスアンプのゲインを調整し、各カラー撮像信号の出力レベルが等しくなるようにするホワイトバランス調整動作を実行させることができるホワイトバランス制御手段を有し、
このホワイトバランス制御手段は、カラー撮像信号から算出される前記ホワイトバランスアンプに対するゲイン制御値を、１回又は複数回の過去のホワイトバランス調整動作の際のゲイン調整値に応じて補正されて設定された所定のホワイトバランス制御領域と比較し、その比較結果に応じて前記ホワイトバランス調整動作を実行させることを特徴とする撮像装置。
【請求項２】
各カラー撮像信号から算出される前記ホワイトバランスアンプに対するゲイン制御値を、設定された所定のホワイトバランス制御領域と比較し、ゲイン制御値がホワイトバランス制御領域内に該当する場合にのみ、そのゲイン制御値により前記ホワイトバランスアンプのゲインを制御するホワイトバランス調整動作を実行させることを特徴とする請求項１に記載の撮像装置。
【請求項３】
前記ホワイトバランス制御領域は、黒体放射カーブに応じて設定されることを特徴とする請求項１に記載の撮像装置。
【請求項４】
前記ホワイトバランス制御領域の可変操作を行なう操作手段を有し、前記ホワイトバランス制御手段は、前記操作手段からの可変操作に応じて前記ホワイトバランス制御領域の補正を行なうことができるように構成されていることを特徴とする請求項１に記載の撮像装置。
【請求項５】
前記ホワイトバランス制御手段は、基準被写体の撮影を行なったときに得られるカラー撮像信号の少なくとも１つに対する前記ホワイトバランスアンプのゲインを制御し、各カラー撮像信号の出力レベルが等しくなるようにする第１のホワイトバランス調整動作の実行制御と、
撮影時に、被写体のカラー撮像信号から算出されるゲイン制御値が、設定されたホワイトバランス制御領域内に該当する場合に、カラー撮像信号の少なくとも１つに対する前記ホワイトバランスアンプのゲインを制御する第２のホワイトバランス調整動作の実行制御を行うように構成されたことを特徴とする請求項１に記載の撮像装置。
【請求項６】
前記ホワイトバランス制御手段は、前記第１のホワイトバランス調整動作の際のゲイン調整値に応じて前記第２のホワイトバランス調整動作の実行基準となるホワイトバランス制御領域の補正を行なうように構成されていることを特徴とする請求項５に記載の撮像装置。
【請求項７】
前記ホワイトバランス制御手段は、複数回の前記第１のホワイトバランス調整動作によるゲイン調整値を記憶し、各ゲイン調整値の分布に応じてホワイトバランス制御領域の補正を行なうことができるように構成されていることを特徴とする請求項５に記載の撮像装置。
【請求項８】
前記ホワイトバランス制御手段は、記憶した各ゲイン調整値のうちから所定数値範囲内に該当するゲイン調整値を抽出し、その抽出されたゲイン調整値の平均値を用いて、ホワイトバランス制御領域の補正を行なうことを特徴とする請求項７に記載の撮像装置。
【請求項９】
前記ホワイトバランス制御領域は、Ｒ信号ゲインを一方の軸、Ｂ信号ゲインを他方の軸とする領域であることことを特徴とする請求項１に記載の撮像装置。
【発明の詳細な説明】
【０００１】
【発明の属する技術分野】
本発明はカラー撮像装置に関し、特にホワイトバランス動作に関するものである。
【０００２】
【従来の技術】
一般にカラー画像撮像装置では、ホワイトバランスという動作が行なわれる。これは、画面全体が白色となる基準被写体を撮影している状態で、撮影信号としてのＲ信号、Ｇ信号、Ｂ信号の出力レベルを等しくする調整動作である。
即ちホワイトバランスアンプとしてＲ信号、Ｇ信号、Ｂ信号のそれぞれに対するゲイン可変アンプを設け、各ゲイン可変アンプの利得調整を行なうことで、ホワイトバランスアンプの出力段階でのＲ信号、Ｇ信号、Ｂ信号の出力レベルが同等となるようにする。
【０００３】
そして、このようなホワイトバランス動作を自動化したオートホワイトバランス動作（以下、ＡＷＢ動作という）が知られている。
これは、基準被写体を撮影している状態でホワイトバランスアンプの出力としてのＲ信号、Ｇ信号、Ｂ信号を監視し、例えばＧ信号レベルに対してＲ信号及びＢ信号が同一レベルとなるようにＲ信号、Ｂ信号に対するゲイン可変アンプの利得をフィードバック調整するものである。
【０００４】
このＡＷＢ動作は、その撮像装置においてＡＷＢ機能を起動させた時だけ実行され、その後はＡＷＢ動作によるゲイン可変アンプの制御値が保持されるものであるが、被写体に追従して常時ホワイトバランス動作を行なう機能として、オートトレーシングホワイトバランス（以下、ＡＴＷ動作）という動作が開発されている。
【０００５】
このＡＴＷ動作としての基本動作はＡＷＢ動作と同様であるが、通常の撮影動作時には当然ながら全白色の基準被写体ではないため、常に全ての被写体に追従して動作させると、誤動作となる可能性が高い。例えば色のついた被写体が白になるように調整を行なってしまうこともある。
このため、予め自然界において現実的にホワイトバランスがとれるときのＲ信号ゲイン（即ちＲチャンネルのホワイトバランス制御値）とＢ信号ゲイン（即ちＢチャンネルのホワイトバランス制御値）の組み合わせを考え、その組み合わせの中に該当する場合だけＡＴＷ動作が実行されるようにしている。
【０００６】
ここで言う組み合わせを具体的に示すと、例えば図１２のＢ信号ゲインとＲ信号ゲインの座標上で斜線部となる領域となり、これをＡＴＷ制御領域と呼ぶこととする。
黒体放射カーブを撮像装置のホワイトバランスアンプの特性に合わせて、図１２のＢ信号ゲインとＲ信号ゲインの座標上に表わすと、図中破線で示すようになり、ＡＴＷ制御領域は一般的には、黒体放射カーブの近傍領域となる。
なお、図１２ではＢ信号ゲインとＲ信号ゲインのそれぞれを８ビットであらわし、座標中心でのゲイン値は（１２８，１２８）としている。
【０００７】
【発明が解決しようとする課題】
ところでＡＴＷ制御領域は、Ｂ信号ゲインとＲ信号ゲインにそれぞれの中間値（図１２でいうゲイン値１２８）を設定した状態で、ＸＹ色度図で規定された基準光源を撮影したとき、ホワイトバランスアンプ出力でＲ，Ｇ，Ｂ各チャンネルのレベルが等しくなるような場合に正しい効果が得られるように設定されている。
【０００８】
しかしながら現実にはそのような状態は稀であり、このため従来は、基準光源を撮影した状態でホワイトバランスアンプ前段の可変抵抗（例えば半固定ボリューム）を操作し、Ｒチャンネル信号レベルとＢチャンネル信号レベルがＧチャンネル信号レベルに等しくなるように調整を行なっていた。
【０００９】
このような調整は調整工程において作業者が手動で行なうことになるため、誤差が生じ易く、厳密な調整が困難であった。このため本来のＡＴＷ動作性能が発揮されないということもあった。また手動調整のために調整に手間と時間がかかり、工程の能率化を妨げていた。
さらに、調整後において何らかの原因で可変抵抗の設定がずれてしまったような場合は、再調整は困難であり、この場合も本来のＡＴＷ動作性能が発揮されないことになる。
【００１０】
【課題を解決するための手段】
本発明はこのような問題点に鑑みて、ＡＴＷ動作のためのＡＴＷ制御領域の設定及び補正を自動化し、工程の能率化とともにＡＴＷ動作性能の向上を実現することを目的とする。
【００１１】
このため、基準被写体の撮影を行なったときに得られるカラー撮像信号の少なくとも１つに対するホワイトバランスアンプのゲインを調整し、各カラー撮像信号の出力レベルが等しくなるようにするホワイトバランス調整動作を実行させることができるホワイトバランス制御手段を有し、このホワイトバランス制御手段は、カラー撮像信号から算出される、ホワイトバランスアンプに対するゲイン制御値を、設定された所定のホワイトバランス制御領域（ＡＴＷ制御領域）と比較し、その比較結果に応じてホワイトバランス調整動作を実行させるようにする。
特に、１又は複数のカラー撮像信号から算出されるホワイトバランスアンプに対するゲイン制御値を、設定された所定のホワイトバランス制御領域と比較し、ゲイン制御値がホワイトバランス制御領域内に該当する場合にのみ、そのゲイン制御値によりホワイトバランスアンプのゲインを制御するホワイトバランス調整動作を実行させる。
そして、ホワイトバランス制御領域は、可変操作を可能としたり、１回又は複数回の過去のホワイトバランス調整動作の際のゲイン調整値に応じて補正される用にする。
これにより、逐次必要に応じてホワイトバランス制御領域の調整を行なうことを可能とするとともに、過去の動作状況に応じた自動調整を可能とする。
【００１２】
またホワイトバランス制御手段は、基準被写体の撮影を行なったときに得られるカラー撮像信号の少なくとも１つに対するホワイトバランスアンプのゲインを制御し、各カラー撮像信号の出力レベルが等しくなるようにする第１のホワイトバランス調整動作（ＡＷＢ動作）の実行制御と、撮影時に、被写体のカラー撮像信号から算出されるゲイン制御値が、設定されたホワイトバランス制御領域（ＡＴＷ制御領域）内に該当する場合に、カラー撮像信号の少なくとも１つに対するホワイトバランスアンプのゲインを制御する第２のホワイトバランス調整動作（ＡＴＷ動作）の実行制御を行うようにする。
即ち、第１のホワイトバランス動作の結果から、ＡＴＷ動作としての効果を最大限に発揮できるホワイトバランス制御領域としてのオフセット量を算出し、ホワイトバランス制御領域をシフトさせる。これによって半固定抵抗等による調整作業を不要とした上でＡＴＷ動作が好適に実行できるようにする。
【００１３】
また、ホワイトバランス制御手段は、第１のホワイトバランス調整動作の際のゲイン調整値に応じて第２のホワイトバランス調整動作の実行基準となるホワイトバランス制御領域の補正を行なう。またこの補正は、複数回の第１のホワイトバランス調整動作によるゲイン調整値を記憶し、各ゲイン調整値の分布に応じて実行する。
例えば記憶したゲイン調整値の中から好適なサンプルを抽出して平均をとり、その平均値からホワイトバランス制御領域の補正値を得る。
即ち、ホワイトバランス制御領域の補正に学習機能を与える。
【００１４】
【発明の実施の形態】
以下、図１〜図８により本発明の撮像装置の実施の形態を説明する。
図１に撮像装置の内部構成を示す。
撮像素子としては、Ｒ，Ｇ，Ｂの３原色に対応してＣＣＤ素子部１Ｒ，１Ｇ，１Ｂが設けられている。各ＣＣＤ素子部１Ｒ，１Ｇ，１Ｂは、図示しないレンズ系から導入された撮影光が結像されるＣＣＤ基板平面上に所定の規則で配列され、２次元のイメージ領域を形成しているものである。
【００１５】
各ＣＣＤ素子部１Ｒ，１Ｇ，１Ｂからの赤信号Ｒ、緑信号Ｇ、青信号Ｂは、それぞれプリアンプ２Ｒ，２Ｇ，２Ｂで増幅された後、サンプルホールド／利得調整回路３Ｒ，３Ｇ，３Ｂにおいて、サンプル／ホールド処理され、さらに利得調整、フレア、プリニー補正等が行なわれる。
【００１６】
サンプルホールド／利得調整回路３Ｒ，３Ｇ，３Ｂの出力はそれぞれホワイトバランスアンプ５を構成するゲイン可変アンプ５Ｒ，５Ｇ，５Ｂに供給されるが、Ｒ信号については半固定抵抗４Ｒ、Ｂ信号については半固定抵抗４Ｂを介して供給される。
【００１７】
半固定抵抗４Ｒ、４Ｂは、いわゆるＡＴＷ動作のために、ゲイン可変アンプ５Ｒ，５ＢにおけるＲ信号ゲインとＧ信号ゲインが中間値とされた状態で、ＸＹ色度図で規定された基準光源を撮影したとき、ゲイン可変アンプ５Ｒ，５Ｇ，５Ｂの出力時点でＲ，Ｇ，Ｂ各チャンネルのレベルが等しくなるように調整するものであり、前述したように従来においてはこの半固定抵抗４Ｒ、４Ｂの調整の必要により各種問題が生じていた。
【００１８】
図１の構成では半固定抵抗４Ｒ、４Ｂが設けられているが、後述するＡＴＷ制御領域の補正動作により本例においてはＡＴＷ動作のために半固定抵抗４Ｒ、４Ｂを厳密に調整する必要はなく、従って半固定抵抗４Ｒ、４Ｂは或る程度大まかに調整するだけでよい。もしくは半固定抵抗４Ｒ、４Ｂは設けないようにしてもよいものである。
【００１９】
ホワイトバランスアンプ５では、ゲイン可変アンプ５Ｒ，５Ｂのゲインが調整されることで、ゲイン可変アンプ５Ｒ，５Ｂ，５Ｇの出力時点でのＲ，Ｇ，Ｂ信号についてのホワイトバランスが調整される。
ゲイン可変アンプ５Ｒ，５Ｂ，５Ｇの出力は、アンプ６Ｒ，６Ｂ，６Ｇを介してエンコーダ７に供給される。またゲイン可変アンプ５Ｒ，５Ｂ，５Ｇの出力は、Ａ／Ｄ変換器１７を介してコントローラ１２にも供給される。このためコントローラ１２はゲイン可変アンプ５Ｒ，５Ｂ，５Ｇの出力段階でのＲ，Ｇ，Ｂ各信号の信号レベルを検出できる。
【００２０】
エンコーダ７は、入力された赤信号Ｒ、緑信号Ｇ、青信号Ｂに対してガンマ補正、ニー補正などの処理を行ない、これらの処理が施された赤信号Ｒ、緑信号Ｇ、青信号Ｂに対するマトリクス処理により赤信号Ｒ、緑信号Ｇ、青信号Ｂから輝度信号Ｙ及び色差信号Ｒ−Ｙ，Ｂ−Ｙを生成し、さらに例えばＮＴＳＣエンコード処理を行なってＮＴＳＣ方式のカラーコンポジット映像信号とし、これを端子８から撮影された映像信号として出力する。
【００２１】
また、撮影画像はビューファインダー１１でカメラマンが確認できるようにされるが、このためエンコーダ７からは、例えば輝度信号Ｙ及び色差信号Ｒ−Ｙ，Ｂ−Ｙの形態の映像信号が合成回路９を介してドライブ回路１０に供給され、ビューファインダー１１における撮影画像のモニタ表示出力を実行させる。
これにより撮像装置を使用するカメラマンは、ビューファインダー１１から撮影されている映像を確認することができる。
【００２２】
コントローラ１２はマイクロコンピュータによって形成され、操作部１６からの各種操作や動作プログラムに応じて装置全体に対しての各種動作制御を行なう。本例においてはコントローラ１２はホワイトバランス制御としてＡＷＢ動作、及びＡＴＷ動作に関する制御を行なう。
【００２３】
また、コントローラ１２はキャラクタジェネレータ１３に対してビューファインダー１１内に撮影モニタ画像に重畳して出力する各種キャラクタ映像を出力させることができる。キャラクタジェネレータ１３で発生されたキャラクタ映像は合成回路９によりエンコーダ７からのモニタ画像信号に重畳されてドライブ回路１０に供給されることで、ビューファインダー１１における撮影画像のモニタ表示とともにキャラクタ表示が実行される。
例えば動作状態表示やモード表示その他のカメラマンに対して、伝えるべき情報をキャラクタ表示により実行させることになる。
【００２４】
ホワイトバランス調整に関しては、コントローラ１２がゲイン可変アンプ５Ｒ，５Ｂ，５Ｇの出力レベルとしてのＲ，Ｇ，Ｂ各信号の信号レベルを検出し、それに応じてゲイン可変アンプ５Ｒ，５Ｇのゲインを調整するフィードバック制御系が構成されている。つまりコントローラ１２はゲイン可変アンプ５Ｒ，５Ｇのゲイン制御値をＤ／Ａ変換器１５を介してゲイン可変アンプ５Ｒ，５Ｇに供給し、ゲイン可変アンプ５Ｒ，５Ｇのゲインを可変制御する。この制御系によりＡＷＢ動作及びＡＴＷ動作が実現される。
【００２５】
即ちＡＷＢ動作としては、画面全体が白となる基準被写体を撮影している状態でコントローラ１２がゲイン可変アンプ５Ｒ，５Ｂ，５Ｇの出力としてのＲ信号、Ｇ信号、Ｂ信号のレベルを監視する。そしてＧ信号レベルに対してＲ信号及びＢ信号が同一レベルとなるようなＲ信号、Ｂ信号に対するゲイン可変アンプ５Ｒ，５Ｂの利得を算出し、それをゲイン制御値をＤ／Ａ変換器１５を介してゲイン可変アンプ５Ｒ，５Ｇに供給することで、ホワイトバランスアンプ５の出力としてのＲ信号、Ｇ信号、Ｂ信号のレベルを同一レベルとする。
メモリ１４はコントローラ１２の処理に必要な各種データの格納が行なわれるほか、本例においてはこのようなＡＷＢ動作によるゲイン制御値を記憶しておく。
【００２６】
また被写体に追従して常時ホワイトバランス調整を行なう機能としてのＡＴＷ動作としては、基本的にＡＷＢ動作と同様のフィードバック制御行なうが、色のついた被写体などに対しても常に動作させることは適当ではないので、コントローラ１２は自然界において現実的にホワイトバランスがとれるときのＲ信号ゲイン（即ちゲイン可変アンプ５Ｒに対するゲイン制御値）とＢ信号ゲイン（即ちゲイン可変アンプ５Ｂに対するゲイン制御値）の組み合わせに基づいて、ＡＴＷ制御領域を設定している。例えば図４（ａ）のように黒体放射カーブを撮像装置のホワイトバランスアンプの特性に合わせて、Ｂ信号ゲインとＲ信号ゲインの座標上に表わすと、図中破線で示すようになり、ＡＴＷ制御領域は、斜線部で示す黒体放射カーブの近傍領域としている。
【００２７】
ＡＴＷ制御領域は、基本的にはＢ信号ゲインとＲ信号ゲインにそれぞれの中間値（図４（ａ）の８ビット表現におけるゲイン値１２８）を設定した状態で基準光源を撮影したとき、ホワイトバランスアンプ出力でＲ，Ｇ，Ｂ各チャンネルのレベルが等しくなるような場合に正しい効果が得られるように設定されるものであるため、ＡＴＷ制御領域は座標中心（１２８，１２８）を中心に黒体放射カーブに沿った領域となる。
【００２８】
このことから基本的にはＡＴＷ動作の本来の効果を得るためにはゲイン可変アンプ５Ｒ，５Ｂのゲイン値が１２８である必要があるが、実際には最初にＡＷＢ動作を行なった後の時点でゲイン可変アンプ５Ｒ，５Ｂのゲイン値が中間値１２８となっていることは稀であり、このため従来は半固定抵抗４Ｒ，４Ｂの調整が必要なものであったところ、本例ではＡＷＢ動作の結果に応じてＡＴＷ制御領域を補正することで、半固定抵抗４Ｒ，４Ｂの調整を不要（もしくは半固定抵抗４Ｒ，４Ｂそのものを不要）としたうえで、ＡＴＷ動作が適切に実行されるようにしている。
このような動作について説明していく。
【００２９】
撮像装置の製造工程の最終段階である調整工程において、まずＡＷＢ動作を実行させる。即ち基準光源を撮影した状態で上記のＡＷＢ動作を起動し、ゲイン可変アンプ５Ｒ，５Ｂのゲインを調整する。
このＡＷＢ動作が終った状態で、ホワイトバランスアンプ５の出力段階でのＲ，Ｇ，Ｂ各信号のレベルは等しくなる。
【００３０】
本例におけるＡＴＷ動作に関しては、ＡＷＢ動作の結果に応じてＡＴＷ制御領域が補正されるものであるが、このために、調整工程においてＡＷＢ動作を行った場合は、後のＡＴＷ動作において、ＡＴＷ制御領域の補正が実行されるようにする処理が必要となる。
このためにコントローラ１２は、ＡＷＢ動作が終った段階で、キャラクタジェネレータ１３を制御することにより、例えば図３のようなメニュー表示をビューファインダー１１において実行させる。この『ＡＴＷ  ＡＤＪ』という表示が、ＡＴＷ動作を起動させる前段階で必要となるＡＷＢ動作の結果データの保持のための操作メニューである。
【００３１】
この『ＡＴＷ  ＡＤＪ』という操作メニューが選択されると、その前のＡＷＢ動作で設定されたゲイン可変アンプ５Ｒ，５Ｂのゲイン値が、メニュー内に表示されるとともに、ゲインＲａｄｊ、Ｂａｄｊとしてメモリ１４に記憶される。
図３ではＲゲインは１３１、Ｂゲインは１２８とされているが、これはＡＷＢ動作によりＲゲインが中間値である１２８より３レベル上げられた状態に調整されており、一方、Ｂゲインについては中間値１２８でＯＫであったことを意味する。
このようにＡＷＢ調整結果としてのＲゲイン、Ｂゲインの値をメモリ１４に保持することで、その後のＡＴＷ動作においてＡＴＷ制御領域の補正機能が良好に働くことになる。
【００３２】
なお、調整工程におけるＡＷＢ動作の後に、『ＡＴＷ  ＡＤＪ』という操作メニューが選択されることによりＡＷＢ結果によるゲインＲａｄｊ、Ｂａｄｊがメモリ１４に記憶されるようにしているが、例えばユーザー使用段階でＡＷＢ動作が行われた場合も、『ＡＴＷ  ＡＤＪ』の選択により、そのときのＡＷＢ結果によるゲインＲａｄｊ、Ｂａｄｊがメモリ１４に記憶される（メモリ１４でのゲインＲａｄｊ、Ｂａｄｊの値が更新される）。
即ちＡＴＷ動作におけるＡＴＷ制御領域補正は、それより前の時点であって『ＡＴＷ  ＡＤＪ』という操作メニューでＡＷＢ結果がメモリ１４に取り込まれたＡＷＢ動作に応じて、実行されることになる。
【００３３】
出荷前の調整工程やユーザーの操作などにより、少なくとも１回以上のＡＷＢ動作が行われ、そのＡＷＢ結果によるゲインＲａｄｊ、Ｂａｄｊがメモリ１４に記憶された状態において、本例におけるＡＴＷ動作は正確に機能されることになる。もちろん、ＡＴＷ動作は調整工程の際やユーザー使用時などにおいて任意の時点で起動させることができる。
【００３４】
以下、本例におけるＡＴＷ動作例について説明していく。
操作部１６に設けられているＡＴＷ起動スイッチが押されると、コントローラ１２はＡＴＷ動作を起動させる。つまり、コントローラ１２は図２の処理を開始し、まずステップF101として、Ａ／Ｄ変換器１７を介して各ゲイン可変アンプ５Ｒ，５Ｇ，５Ｂの出力段階でのＲ，Ｇ，Ｂ各信号を取り込み、そのレベルを検出する。
そしてＡＷＢ動作の場合と同様に、ステップF102でＲ，Ｇ，Ｂ各信号のレベルからゲイン可変アンプ５Ｒ，５Ｂのゲイン調整のための制御値ＲGAIN，ＢGAINを算出する。
【００３５】
ここで、ステップF103ではメモリ１４に記憶されているゲインＲａｄｊ、Ｂａｄｊのそれぞれについて、中間値からのオフセット分を算出し、それに応じて図４（ａ）のように設定されていたＡＴＷ制御領域を補正する。
この場合、ゲインＲａｄｊ＝１３１であり、Ｒゲインについての中間値１２８からのオフセット量は３である。一方、ゲインＢａｄｊ＝１２８であり、Ｂゲインについての中間値１２８からのオフセット量は０である。
このため、ＡＴＷ制御領域はＲ軸方向に３レベルだけシフトさせることになり、ＡＴＷ制御領域は図４（ｂ）のようになる。
【００３６】
このようにＡＴＷ制御領域を補正したら、ステップF104ではステップF102で算出した制御値ＲGAIN，ＢGAINの組み合わせが、補正後のＡＴＷ制御領域内に含まれるものであるか否かを判別する。
そして含まれなければ、そのときの制御値ＲGAIN，ＢGAINを算出した際の被写体はホワイトバランス調整に適した被写体ではないとされ、従ってゲイン可変アンプ５Ｒ，５Ｂのゲイン調整は行なわない。
一方、ＡＴＷ制御領域内に含まれていれば、ステップF105に進み、制御値ＲGAIN，ＢGAINによるゲイン可変アンプ５Ｒ，５Ｂのゲイン調整を実行する。
【００３７】
以上のような動作を行なう本例では、その際のＡＷＢ動作による調整値に応じてＡＴＷ制御領域が補正されるため、特に半固定抵抗４Ｒ，４Ｂによる調整を行なってゲイン可変アンプ５Ｒ，５Ｂのゲインを中間値にあわせこむようなことをしなくても、ＡＴＷ動作が正しく実行されることになる。
【００３８】
なお上記例ではＡＴＷ制御領域をＲゲイン軸方向にシフトさせた例を述べたが、ＡＷＢ動作においてＢゲインに中間値からのオフセットが加わった場合は、ＡＴＷ制御領域をそのオフセット分だけＢゲイン軸方向にシフトさせることはいうまでもない。もちろんＲゲイン軸方向とＢゲイン軸方向の両方にシフトさせる場合もある。
また、図２の処理例では、ステップF103の処理はＡＴＷ動作中においてＲ、Ｇ、Ｂ各チャンネルのビデオレベルが取り込まれる（ステップF101）毎に実行されるようにしているが、連続した１回のＡＴＷ動作中においてゲインＲａｄｊ、Ｂａｄｊの値が変更されることがないとすればステップF103の処理をステップF101よりも前のＡＴＷ起動時に実行し、その際にシフトさせた制御領域の範囲を記憶しておくようにして、ビデオレベル取込毎に実行されるループ処理（F101〜F105）からはずすようにしてもよい。
【００３９】
ところで、本例では手動によってＡＴＷ制御領域の変更を行なうこともできるようにされている。これにより例えば仮に基準光源そのものがずれているような場合に、その特性を色彩色度計で測定し、得られたＸ，Ｙの値をＲゲイン，Ｂゲインのオフセット量に変換して設定することが可能となる。もちろんそれ以外にも何らかの原因でＡＴＷ制御領域の設定が適当でなくなった場合に、簡単に最適状態に補正することが可能となる。
【００４０】
このための動作としては、例えば図３に示したようなメニュー表示において、使用者が操作部１６からの操作でＲゲイン値、Ｂゲイン値を変更できるようにする。
例えば図５（ａ）は使用者がＲゲイン値の変更操作を行ない、Ｒゲイン値を１３５とし、さらに続いて図５（ｂ）のように使用者がＢゲイン値の変更操作を行ない、Ｂゲイン値を１３０としたとする。
これに応じてコントローラ１２は  ゲインＲａｄｊ＝１３５、ゲインＢａｄｊ＝１３０としてメモリ１４に記憶する。
【００４１】
この後、操作部１６のＡＴＷ起動スイッチが押され、ＡＴＷ動作が起動される場合は、コントローラ１２は上述した図２の処理を開始することになるが、このときはステップF103のＡＴＷ制御領域の補正動作として、ゲインＲａｄｊ＝１３５、ゲインＢａｄｊ＝１３０についての中間値１２８からのオフセット分を算出し、それに応じてＡＴＷ制御領域をシフトさせることになる。つまりＡＴＷ制御領域は図６のように補正され、これに基づいてステップF104でＡＴＷ動作の実行が判断されることになる。
【００４２】
ところで以上の各動作は撮像装置の製造時や調整時、もしくはユーザー使用時において、ＡＷＢ動作の際の結果としての（もしくは手動調整結果としての）ゲインＲａｄｊ、ゲインＢａｄｊをメモリ１４に取り込むことで、ＡＴＷ動作時にそのゲインＲａｄｊ、ゲインＢａｄｊを用いたＡＴＷ制御領域の補正動作が行われるようにしているが、このような補正動作に関する処理を応用することで通常使用時のＡＴＷ動作（ＡＴＷ制御領域の補正動作）に学習機能を持たせることができる。
一般にはユーザーは、ＡＷＢ動作とＡＴＷ動作を併用することが考えられるので、コントローラ１２はＡＷＢ動作が起動されるたびに、その調整によるＲゲインＲａｄｊ、ＢゲインＢａｄｊをメモリ１４に記憶していくようにする。
そして例えば過去１０回のＡＷＢ動作におけるＲゲインＲａｄｊ、ＢゲインＢａｄｊの値を、（Ｒａｗｂ［１］，Ｂａｗｂ［１］）、（Ｒａｗｂ［２］，Ｂａｗｂ［２］）、（Ｒａｗｂ［３］，Ｂａｗｂ［３］）・・・・・・・・・ （Ｒａｗｂ［１０］，Ｂａｗｂ［１０］）として蓄積するようにする。
【００４３】
なおここで説明に用いる（Ｒａｗｂ［１］，Ｂａｗｂ［１］）・・・・・・・・  （Ｒａｗｂ［１０］，Ｂａｗｂ［１０］）はゲインＲａｄｊ、ゲインＢａｄｊの値を保持するレジスタ（メモリ１４内の記憶領域もしくはアドレス）としてのイメージとする。即ち最新のＡＷＢ動作で得られたゲインＲａｄｊ、ゲインＢａｄｊの値は、レジスタ（Ｒａｗｂ［１］，Ｂａｗｂ［１］）に記憶されるとともに、それまでレジスタ（Ｒａｗｂ［１］，Ｂａｗｂ［１］）に保持されていた値は、レジスタ（Ｒａｗｂ［２］，Ｂａｗｂ［２］）にシフトされて保持される。このようなシフト記憶形態がとられることで、メモリ１４には、レジスタ（Ｒａｗｂ［１］，Ｂａｗｂ［１］）・・・・・・・・  （Ｒａｗｂ［１０］，Ｂａｗｂ［１０］）として、常に最新のＡＷＢ動作から数えて過去１０回のＡＷＢ動作におけるゲインＲａｄｊ、ゲインＢａｄｊの値が保持されることになる。
【００４４】
そしてＡＴＷ動作が起動された際は、コントローラ１２は図７の処理を実行する。なおこの図７の処理におけるステップF201,F202,F204,F205 の処理は図２のステップF101,F102,F104,F105 の処理と同様であるため説明を省略する。
この場合も、ステップF203でＡＴＷ制御領域の補正を行なうわけであるが、その補正動作としては、まずメモリ１４に記憶されている過去１０回のＡＷＢ動作にかかるＲゲインＲａｄｊ、ＢゲインＢａｄｊの値、即ち（Ｒａｗｂ［１］，Ｂａｗｂ［１］）・・・・・・・・・ （Ｒａｗｂ［１０］，Ｂａｗｂ［１０］）を確認する。そして、各組み合わせの分布状態を確認し、サンプル値として適切な組み合わせを抽出する。そして抽出されたサンプル値を用いてＡＴＷ制御領域の補正のための値を得る。この補正値に基づいてＡＴＷ制御領域をＲゲイン軸方向及び／又はＢゲイン軸方向にシフトさせるものである。
【００４５】
ステップF203の処理をより詳細に示したものが図８のフローチャートである。この図８のフローチャートと、図９、図１０を参照しながら、ステップF203でのＡＴＷ制御領域の補正動作の具体例を説明していく。
【００４６】
図４（ａ）で前述したように、ＡＴＷ制御領域は、基本的にはＢ信号ゲインとＲ信号ゲインにそれぞれの中間値（８ビット表現におけるゲイン値１２８）を設定した状態で、ＸＹ色度図で規定された基準光源を撮影したとき、ホワイトバランスアンプ出力でＲ，Ｇ，Ｂ各チャンネルのレベルが等しくなるような場合に正しい効果が得られるように設定されるものである。
図４（ａ）と同様のＡＴＷ制御領域、即ち図７の動作に関して補正前のＡＴＷ制御領域を図９（ａ）に示すが、斜線部として示すＡＴＷ制御領域は座標中心（１２８，１２８）を中心に黒体放射カーブに沿った領域となる。
このような最初に設定されるＡＴＷ制御領域としては、撮影時の照明の色温度が３２００Ｋとし、その状態でＲ信号ゲイン、Ｂ信号ゲインの制御値の中心が（１２８，１２８）とされるとする。
【００４７】
実際に学習機能により図７のステップF203の動作が行われる際に、例えばその時点から過去１０回のＡＷＢ動作でのＲゲインＲａｄｊ、ＢゲインＢａｄｊの値（Ｒａｗｂ［１］，Ｂａｗｂ［１］）・・・・・・・・・ （Ｒａｗｂ［１０］，Ｂａｗｂ［１０］）が、次のような値であったとする。
Ｓ１：（Ｒａｗｂ［１］，Ｂａｗｂ［１］）＝（１２７，１２７）
Ｓ２：（Ｒａｗｂ［２］，Ｂａｗｂ［２］）＝（１２９，１２６）
Ｓ３：（Ｒａｗｂ［３］，Ｂａｗｂ［３］）＝（１４４，１０３）
Ｓ４：（Ｒａｗｂ［４］，Ｂａｗｂ［４］）＝（２４１，２００）
Ｓ５：（Ｒａｗｂ［５］，Ｂａｗｂ［５］）＝（１２０，１３０）
Ｓ６：（Ｒａｗｂ［６］，Ｂａｗｂ［６］）＝（１２３，１３４）
Ｓ７：（Ｒａｗｂ［７］，Ｂａｗｂ［７］）＝（１４２，１１９）
Ｓ８：（Ｒａｗｂ［８］，Ｂａｗｂ［８］）＝（１０８，１１８）
Ｓ９：（Ｒａｗｂ［９］，Ｂａｗｂ［９］）＝（１２１，１４６）
Ｓ１０：（Ｒａｗｂ［１０］，Ｂａｗｂ［１０］）＝（１２７，１２９）
【００４８】
図１０は、図９（ａ）の座標中心近辺を拡大したものであるが、これらの過去１０回のＡＷＢ動作時の値Ｓ１〜Ｓ１０は、座標上では図１０に示すように分布することになる。
この分布状態から、明らかに色温度３２００Ｋとはかけ離れた照明条件においてＡＷＢ動作が実行されたケースが観測されるが、本例ではそのようなものを除外し、色温度３２００Ｋ前後の照明条件においてＡＷＢ動作が実行されたものを抽出する。色温度３２００Ｋ前後の照明条件下でのＡＷＢ動作に該当するものを、座標中心（１２８，１２８）から、Ｒゲイン軸及びＢゲイン軸方向にそれぞれ±８段階以内の領域と設定するとすると、それは図１０に破線で示すサンプル領域ＳＡとなる。
そしてＡＷＢ調整値として上記具体例のような場合、サンプル領域ＳＡに含まれるサンプルは、Ｓ１、Ｓ２、Ｓ５、Ｓ６、Ｓ１０となる。それ以外のＡＷＢ調整時でのサンプルであるＳ３、Ｓ４、Ｓ７、Ｓ８、Ｓ９は照明条件が大幅に異なるとしてサンプルから除外する。
【００４９】
そして抽出されたサンプルＳ１、Ｓ２、Ｓ５、Ｓ６、Ｓ１０についてのＲゲイン、Ｂゲインの平均値を求め、その平均値からＡＴＷ制御領域の補正値を得て、ＡＴＷ制御領域の補正を行うものである。
【００５０】
以上の動作は、図７のステップF203、即ち図８のステップF231〜F239の処理により実現される。
まずステップF231，F232で変数ｎ、変数ｍをそれぞれ「１」とする。
変数ｎは、サンプルＳ（ｎ）として、メモリ１４に記憶されている過去１０回のＡＷＢ動作におけるゲイン値（ＲゲインＲａｄｊ、ＢゲインＢａｄｊ）としてのサンプルＳ１〜Ｓ１０（即ち（Ｒａｗｂ［１］，Ｂａｗｂ［１］）〜（Ｒａｗｂ［１０］，Ｂａｗｂ［１０］））を順番にピックアップするための処理変数である。また、変数ｍは、有効サンプルと判断されたサンプルを個別に保持するための変数である。
変数ｎ，ｍをセットしたら、ステップF233で１つのサンプルＳ（ｎ）をピックアップし、そのサンプルＳ（ｎ）がサンプル領域ＳＡに含まれるか否かを判断する。
【００５１】
ステップF233でサンプルＳ（ｎ）がサンプル領域ＳＡに含まれるとされた場合は、ステップF234，F235の処理が行われステップF234ではサンプルＳ（ｎ）として保持されているＲゲイン値、Ｂゲイン値（Ｒａｗｂ［ｎ］，Ｂａｗｂ［ｎ］）が、抽出サンプル値Ｒｓｐ（ｍ）、Ｂｓｐ（ｍ）としてセットされる。そしてステップF235では変数ｍがインクリメントされる。
一方、ステップF233でサンプルＳ（ｎ）がサンプル領域ＳＡに含まれない場合は、ステップF234，F235の処理がバイパスされる。そしてステップF236で変数ｎ＝１０と判断されるまで、ステップF237で変数ｎがインクリメントされながらステップF233〜F237の処理が繰り返される。
【００５２】
すなわちこのステップF233〜F237の処理は、過去１０回のサンプルＳ１〜Ｓ１０のそれぞれに対して、サンプル領域ＳＡ内に含まれるか否かを判別し、含まれるサンプルでのＲゲイン値、Ｂゲイン値（Ｒａｗｂ［ｎ］，Ｂａｗｂ［ｎ］）を有効サンプル値Ｒｓｐ（ｍ）、Ｂｓｐ（ｍ）として抽出していく処理である。
ステップF236で変数ｎが１０と判断されると、ステップF238で変数ｍがデクリメントされ、ステップF239に進む。
従ってステップF236で変数ｎが１０と判断されるのは、過去１０回のサンプルＳ１〜Ｓ１０のそれぞれについてのステップF233〜F237の処理が終了した時点であり、この時点で変数ｍの値は抽出された有効サンプル数より１大きい値となっていることに応じてステップF238で変数ｍをデクリメントすることで、処理がステップF239に進む時点で、Ｒゲイン及びＢゲインの有効サンプル値としてそれぞれｍ個の有効サンプル値Ｒｓｐ１〜Ｒｓｐ（ｍ）、Ｂｓｐ１〜Ｂｓｐ（ｍ）が得られていることになる。
【００５３】
サンプルＳ１〜Ｓ１０の値が上記例の場合であって、サンプル領域ＳＡが図１０のように設定されている場合、有効サンプル値Ｒｓｐ１〜Ｒｓｐ（ｍ）、Ｂｓｐ１〜Ｂｓｐ（ｍ）は次のようになる。
Ｒｓｐ１＝１２７、Ｂｓｐ１＝１２７  ・・・・・（Ｓ１）
Ｒｓｐ２＝１２９、Ｂｓｐ２＝１２６  ・・・・・（Ｓ２）
Ｒｓｐ３＝１２０、Ｂｓｐ３＝１３０  ・・・・・（Ｓ５）
Ｒｓｐ４＝１２３、Ｂｓｐ４＝１３４  ・・・・・（Ｓ６）
Ｒｓｐ５＝１２７、Ｂｓｐ５＝１２９  ・・・・・（Ｓ１０）
【００５４】
有効サンプル値が得られた後のステップF239の処理では、有効サンプル値Ｒｓｐ１〜Ｒｓｐ（ｍ）の平均値Ｒａｖと、有効サンプル値Ｂｓｐ１〜Ｂｓｐ（ｍ）の平均値Ｂａｖを求める。つまり、有効サンプル値Ｒｓｐ１〜Ｒｓｐ（ｍ）の和をサンプル数ｍで割って平均値Ｒａｖとし、また有効サンプル値Ｂｓｐ１〜Ｂｓｐ（ｍ）の和をサンプル数ｍで割って平均値Ｂａｖとする。
そしてステップF240では、平均値Ｒａｖ、Ｂａｖを用いてＲゲイン軸及びＢゲイン軸上でのＡＴＷ制御領域のシフト量を算出し、ＡＴＷ制御領域のシフトを行う。Ｒ軸シフト量は、平均値Ｒａｖ−１２８で求め、またＢ軸シフト量は、平均値Ｂａｖ−１２８で求める。
【００５５】
上記のようにサンプルＳ１、Ｓ２、Ｓ５、Ｓ６、Ｓ１０が抽出された場合でいえば、平均値Ｒａｖ、Ｂａｖは、
Ｒａｖ＝（１２７＋１２９＋１２０＋１２３＋１２７）／５＝１２５
Ｂａｖ＝（１２７＋１２６＋１３０＋１３４＋１２９）／５＝１２９
となる。
従って、Ｒ軸シフト量＝１２５−１２８＝３、Ｂ軸シフト量＝１２９−１２８＝１となり、つまり図９（ａ）のように設定されていたＡＴＷ制御領域は、Ｒゲイン方向に−３、Ｂゲイン方向に＋１だけシフトされ、図９（ｂ）のように中心値が（１２５，１２９）とされる領域に補正されることになる。
【００５６】
そしてこのようなＡＴＷ制御領域の補正を行なった後、図７のステップF204では、ステップF202で算出した制御値ＲGAIN，ＢGAINの組み合わせが、ＡＴＷ制御領域に該当するものであるかを判別し、ＡＴＷ動作の実行判断を行なうことになる。
【００５７】
通常、ＡＷＢ動作の多くは黒体軌跡に近い照明の元で白い被写体をうつした状態で起動されるものであるため、ＲゲインＲａｄｊ、ＢゲインＢａｄｊの組み合わせの分布は理想的なＡＴＷ制御範囲を形づくることになる。
そしてさらにその分布の中で、色温度３２００Ｋ前後という、基準となる図９（ａ）の最初のＡＴＷ制御範囲設定の際の照明条件に近い照明条件によるもののみを抽出し、その抽出された有効サンプルの平均値に基づいて逐次ＡＴＷ制御領域を補正していけば、その撮像装置の使用状況に応じて学習的に最適なＡＴＷ制御領域が設定されることになる。そして、このためＡＴＷ動作が的確に実行され、ＡＴＷ動作精度の向上、誤動作の防止をはかることができる。
【００５８】
なお、上記例ではサンプル抽出のためのサンプル領域ＳＡを、方形の領域と設定したが、このサンプル領域のサイズや形状により、動作精度や誤動作防止という性能をより向上させることも可能である。
サンプル領域ＳＡの形状としては、例えば円形もしくは楕円形の範囲を設定しることなどが考えられる。
【００５９】
また、図８の処理では特に有効サンプル数としての数の制限はしていないが、最低必要なサンプル数を規定するようにしてもよい。例えば最低サンプル数を５とし、有効サンプル数ｍが５に満たない場合はＡＴＷ制御領域の補正を行わないようにしてもよい。また、このように最低サンプル数を設定する場合は、その値を大きくするほど、補正精度の向上をはかることができる。さらに過去１０回のＡＷＢ動作に関するサンプルを対象としたが、例えば過去２０回分など、より多数回のＡＷＢ動作時でのサンプルを対象とし、より多くの有効サンプルを抽出できる可能性を高めることも考えられる。
【００６０】
なお、学習機能を与える場合の処理例としては、上述のように過去１０回のサンプルから有効サンプルを抽出し、その平均値に基づいてＡＴＷ制御領域を補正するという手法以外にも各種の手法が考えられる。
例えば図７のステップF203でＡＴＷ制御領域の補正を行なう際の処理として、上記例と同様の形態でメモリ１４に記憶されている過去１０回のＡＷＢ動作にかかるＲゲインＲａｄｊ、ＢゲインＢａｄｊの値、即ち（Ｒａｗｂ［１］，Ｂａｗｂ［１］）・・・・・・・・・ （Ｒａｗｂ［１０］，Ｂａｗｂ［１０］）を確認したら、その各組み合わせのうち最も多くの組み合わせがＡＴＷ制御領域に含まれることになるようなオフセット値を算出し、そのオフセット値に基づいてＡＴＷ制御領域をＲゲイン軸方向及び／又はＢゲイン軸方向にシフトさせるようにするようにしてもよい。
【００６１】
この動作イメージを図１１に示す。図１１（ａ）のように或る状態のＡＴＷ制御領域が設定されている時点で、過去１０回分のＲゲインＲａｄｊ、ＢゲインＢａｄｊの組み合わせとしての（Ｒａｗｂ［１］，Ｂａｗｂ［１］）・・・・・・・・・ （Ｒａｗｂ［１０］，Ｂａｗｂ［１０］）の値が図中『・』で示すように分布していたとする。
このとき、１０個の組み合わせのうちの最も多くがＡＴＷ制御領域に含まれることになるように、例えば図８（ｂ）のようにシフトさせる。
つまり、過去１０回分のＲゲインＲａｄｊ、ＢゲインＢａｄｊの組み合わせの分布の中心を、ＡＴＷ制御領域の中心になるようにＡＴＷ制御領域をシフトさせる処理を行うようにするものである。
【００６２】
そしてこのようなＡＴＷ制御領域の補正を行なった後、ステップF204で、上記例の場合と同様に、ステップF202で算出した制御値ＲGAIN，ＢGAINの組み合わせが、ＡＴＷ制御領域に該当するものであるかを判別し、ＡＴＷ動作の実行判断を行なう。
【００６３】
上述したように、ＡＷＢ動作の多くは黒体軌跡に近い照明の元で白い被写体をうつした状態で起動されるものであることから、ＲゲインＲａｄｊ、ＢゲインＢａｄｊの組み合わせの分布は理想的なＡＴＷ制御範囲を形づくることになる。
これに着目すれば、上記動作のように、統計的にＲゲインＲａｄｊ、ＢゲインＢａｄｊの組み合わせの最も多くがＡＴＷ制御領域の中央近くに集まるように逐次ＡＴＷ制御領域を補正していけば、その撮像装置の使用状況に応じて学習的に最適なＡＴＷ制御領域が設定されることになる。そして、このためＡＴＷ動作が的確に実行される。
【００６４】
【発明の効果】
以上説明したように本発明の撮像装置は、ホワイトバランス制御手段は、カラー撮像信号から算出されるホワイトバランスアンプに対するゲイン制御値を、設定された所定のホワイトバランス制御領域と比較し、その比較結果に応じてホワイトバランス調整動作を実行させるようにしている。
これにより、通常撮影時など任意の被写体を撮影している状況でも良好にホワイトバランス調整が実現できるという効果がある。
特に算出されたゲイン制御値がホワイトバランス制御領域内に該当する場合にのみ、そのゲイン制御値により、ホワイトバランス調整動作を実行させることで最適な動作が実現される。
【００６５】
またホワイトバランス制御領域は、黒体放射カーブに応じて設定されることでホワイトバランス調整動作実行判断に適したホワイトバランス制御領域を設定できる。
また操作手段からの可変操作に応じてホワイトバランス制御領域の補正を行なうことで、ユーザーによる状況に応じた適切な補正が可能となる。例えば基準光源その他の影響による不適切なホワイトバランス制御領域が設定されていても簡単に適正状態に修正できるという効果がある。
【００６６】
またホワイトバランス制御領域は、１回又は複数回の過去のホワイトバランス調整動作の際のゲイン調整値に応じて補正されることで、その撮像装置の各種特性や撮影状況などに応じてホワイトバランス制御領域が自動的に適切な状態に補正され、的確なホワイトバランス調整動作が実現される。
【００６７】
また本発明の撮像装置は、第１のホワイトバランス調整動作の際のゲイン調整値に応じて第２のホワイトバランス調整動作の実行基準となるホワイトバランス制御領域の補正を行なうようにしているため、第１のホワイトバランス調整動作時点のゲイン調整値をその中間値に合わせ込むということは不要であり、従って半固定抵抗などによる厳密な調整が困難でかつ時間のかかる調整作業は不要となる。このため調整工程の能率化が実現されるとともに、第２のホワイトバランス調整動作は最適な状態で実行できることになり、第２のホワイトバランス調整動作の精度を向上させることができるという効果がある。
【００６８】
さらに、ホワイトバランス制御手段は、複数回の第１のホワイトバランス調整動作によるゲイン調整値を記憶し、各ゲイン調整値の分布に応じてホワイトバランス制御領域の補正を行なうことができるように構成したため、その撮像装置の使用状況に応じて学習的に最適なＡＴＷ制御領域が設定されることになり、このため常時ＡＴＷ動作が的確に実行されるようにすることができる。
また、このようなＡＴＷ制御領域の補正時には、過去の各ゲイン調整値の中から、所定数値範囲内に該当するゲイン調整値を抽出し、その抽出されたゲイン調整値の平均値を用いて補正を行なうようにしたため、補正精度の向上及びそれに伴いＡＴＷ動作精度の向上を実現できる。
【図面の簡単な説明】
【図１】本発明の実施の形態の撮像装置のブロック図である。
【図２】実施の形態のＡＴＷ動作のフローチャートである。
【図３】実施の形態のＡＴＷ動作の際のメニュー表示の説明図である。
【図４】実施の形態のＡＴＷ動作で補正されるＡＴＷ制御領域の説明図である。
【図５】実施の形態のＡＴＷ制御領域の手動調整の際のメニュー表示の説明図である。
【図６】実施の形態の手動調整で補正されるＡＴＷ制御領域の説明図である。
【図７】実施の形態の学習機能を備えたＡＴＷ動作のフローチャートである。
【図８】実施の形態の学習機能を備えたＡＴＷ制御領域補正動作のフローチャートである。
【図９】実施の形態の学習機能を備えたＡＴＷ動作で補正されるＡＴＷ制御領域の説明図である。
【図１０】実施の形態の学習機能を備えたＡＴＷ動作での補正動作の説明図である。
【図１１】実施の形態の学習機能を備えたＡＴＷ動作での他の補正動作の説明図である。
【図１２】ＡＴＷ動作におけるＡＴＷ制御領域の説明図である。
【符号の説明】
１Ｒ，１Ｇ，１Ｂ  ＣＣＤ、３Ｒ，３Ｇ，３Ｂ  サンプルホールド／利得調整回路、５  ホワイトバランスアンプ、５Ｒ，５Ｇ，５Ｂ  ゲイン可変アンプ、７エンコーダ、９  合成回路、１０  ドライブ回路、１１  ビューファインダー、１２  コントローラ、１３  キャラクタジェネレータ、１４  メモリ、１５  Ｄ／Ａ変換器、１６  操作部、１７  Ａ／Ｄ変換器
【図１】
0003849216.tif 000002
【図２】
0003849216.tif 000003
【図３】
0003849216.tif 000004
【図４】
0003849216.tif 000005
【図５】
0003849216.tif 000006
【図６】
0003849216.tif 000007
【図７】
0003849216.tif 000008
【図８】
0003849216.tif 000009
【図９】
0003849216.tif 000010
【図１０】
0003849216.tif 000011
【図１１】
0003849216.tif 000012
【図１２】
0003849216.tif 000013